(57)【要約】【課題】屋根仕上げ材の下地への葺き作業の効率向上、施工現場における廃棄物の発生抑止、施工時における屋根仕上げ材の汚損防止を図る一方、屋根仕上げ材に関する集積、運搬、保管、施工等の諸作業を容易にして種々のコストの低減を図る。【解決手段】表裏両面に無機質層を圧着形成した基部とタブを具え、敷設時に屋根下地部に接合される前記基部上に前記タブを重ね合わせるようにして順次屋根葺きをなすアスファルトシングルあるいは不燃シングルその他、柔軟性があり下地追従性に優れかつ軽量な屋根仕上げ材において、前記屋根仕上げ材の表面所定箇所には粘着剤層を形成するとともに、該裏面にはさらに屋根仕上げ材の表裏対向させての重ね合わせ時に、前記粘着剤層に対応する位置に粘着材層に対して着脱容易な剥離シート材を貼設してなる屋根仕上げ材の提供により上記課題を解決する。【選択図】    図１
2004156367.tif 000002
【特許請求の範囲】
【請求項１】
表裏両面に無機質層を圧着形成した基部とタブを具え、敷設時に屋根下地部に接合される前記基部上に前記タブを重ね合わせるようにして順次屋根葺きをなすアスファルトシングルあるいは不燃シングルその他、柔軟性があり下地追従性に優れかつ軽量な屋根仕上げ材において、前記屋根仕上げ材の表面所定箇所には粘着剤層を形成するとともに、該裏面にはさらに屋根仕上げ材の表裏対向させての重ね合わせ時に、前記粘着剤層に対応する位置に粘着材層に対して着脱容易な剥離シートを貼設してなることを特徴とする屋根仕上げ材。
【請求項２】
請求項１記載の屋根仕上げ材において、屋根仕上げ材は軒端側に１又は２以上のスリットが形成されたシングルであり、シングル表面に形成される前記粘着剤層は勾配方向と直交する帯状に形成したことを特徴とする屋根仕上げ材。
【請求項３】
請求項２記載の屋根仕上げ材において、帯状の前記粘着剤層は、その軒端側が前記スリットの上端部（棟側）とほぼ接する位置に形成したことを特徴とする屋根仕上げ材。
【請求項４】
請求項３記載の屋根仕上げ材において、帯状の前記粘着剤層は、前記スリットの上端部（棟側）間の中央位置で少なくともスリット幅分だけ不連続となるように形成したことを特徴とする屋根仕上げ材。
【請求項５】
請求項１ないし４いずれか記載の屋根仕上げ材において、前記粘着剤層は、改質アスファルト系粘着剤、アクリル系粘着剤またはブチル系粘着剤のいずれかで形成したことを特徴とする屋根仕上げ材。
【請求項６】
請求項４に係る屋根仕上げ材による屋根葺き構造であって、屋根下地部に固着した勾配方向下流側のシングルと、この下流側のシングル表面の帯状粘着剤層に裏面の下流側端部を接合した勾配方向上流側のシングルとからなり、勾配方向下流側から上流側に順次屋根仕上げ材を敷設した際に各シングルのスリットに前記帯状の粘着剤層が露出していないことを特徴とする屋根葺き構造。
【請求項７】
屋根仕上げ材の集積時、梱包、運搬時における積層構造であって、表裏両面に無機質層を圧着形成した基部とタブを具え、敷設時に屋根下地部に接合される前記基部上に前記タブを重ね合わせるようにして順次屋根葺きをなすアスファルトシングルあるいは不燃シングルその他、柔軟性があり下地追従性に優れかつ軽量な屋根仕上げ材において、前記屋根仕上げ材の表面所定箇所には粘着剤層を形成するとともに、該裏面にはさらに屋根仕上げ材の表裏対向させての重ね合わせ時に、前記粘着剤層に対応する位置にフィルムを貼設してなる屋根仕上げ材を順次に積層し、積層体の最上段又は最下段となる前記屋根仕上げ材の表面の前記粘着剤層表面には剥離容易な粘着防止手段を設けたことを特徴とする屋根仕上げ材積層構造。
【発明の詳細な説明】
【０００１】
【発明の属する技術分野】
本願発明は、建物の勾配屋根の表面に敷設される屋根仕上げ材とこれによる屋根葺き構造に関し、詳しくは予め粘着層が形成されたアスファルトシングルとこれによる屋根葺き構造に関するものである。
【０００２】
【従来の技術】
屋根仕上げ材としてのいわゆるシングルには、従来、基材のガラス繊維にアスファルトを含浸し表面に着色砂等を圧着させたアスファルトシングル、基材のガラス繊維の両面に無機質充填材と樹脂材との混合層を形成し表面に鉱物砂が圧着された不燃シングル等がある。  これらの屋根仕上げ材の取り付けは、木質系下地の場合は釘打ちと接着剤の併用、下地が釘打ちに適しない場合には接着剤によりなされている。
【０００３】
シングルは、セメント系かわらや焼き物かわら等にくらべて、薄手かつ軽量であり、しかも、熱可塑性を有するから若干の加熱により柔軟性を帯びるので、変形した下地、例えば曲線的な下地にもなじみ良く使用できる長所を有している。また、表面には砕石粒、砂等の鉱物質層が形成されているので耐候性に優れる等の利点も有している。
【０００４】
従来この種のシングルとして、例えば図６の（ａ）、（ｂ）、（ｃ）に示すものが知られている。  図６（ａ）において、ガラス繊維にアスファルトを含浸してなる基層２を有するシングル１の表面には着色砂等を圧着させた表面層３が形成されている。このようなシングル１による屋根葺きは、施工現場でシングル１の裏面に溶融アスファルトを塗布して屋根下地に勾配方向の下流側から順次敷設することによりなされている。
【０００５】
図６（ｂ）に示すシングルは、上記図６（ａ）に示すシングル１の表面層３の所定位置にストレートアスファルトからなる接着剤層４が形成され、裏面にはシングル１の積層時等に裏面と表面層３とが接合した際に接着剤層４に当接してこれを保護するフィルム５が張設されている。施工にあたっては、下流側のシングル１に上流側のシングル１の半部以上を重ねあわせるようにして接着剤層４を介して両シングルが接合するように敷設していく。
【０００６】
図６（ｃ）に示すシングルは、上記図６（ａ）に示すシングル１の裏面端部に自着性を有する粘着剤層６を形成し、この粘着剤層６の表面にはフィルムその他容易に剥離する保護シート７を貼付してある。施工時には、保護シート７を剥離して、前述のように順次に屋根葺きをなしていく。
【０００７】
【発明が解決しようとする課題】
しかしながら、前記従来のシングルには次のような不都合があった。  すなわち、図６（ａ）に示すものでは、施工現場で溶融アスファルトをシングル裏面に塗布して屋根下地部に固着する工法が一般的であり、施工効率が悪い、シングルをアスファルトで汚損することがある等の不都合があるうえ、高温のアスファルトを使用するため危険性も伴っていた。
【０００８】
また、図６（ｂ）に示すものでは、接着剤層がストレートアスファルトにより形成される、いわゆるセルフシールと称されるもので、例えば摂氏６０度以上の温度環境が所定時間継続することで接着効果を生じ、施工初期あるいは低温環境での接着性を期待できない。
【０００９】
さらに、図６（ｃ）に示すものは、施工にあたり保護シート７を剥離した上で作業をなす必要があり、施工効率に難があるうえ保護シート７が要処理廃棄物として大量に発生するという問題がある。
【００１０】
【課題を解決するための手段】
本願発明は、表裏両面に無機質層を圧着形成した基部とタブを具え、敷設時に屋根下地部に接合される前記基部上に前記タブを重ね合わせるようにして順次屋根葺きをなすアスファルトシングルあるいは不燃シングルその他、柔軟性があり下地追従性に優れかつ軽量な屋根仕上げ材において、前記屋根仕上げ材の表面所定箇所には粘着剤層を形成するとともに、該裏面にはさらに屋根仕上げ材の表裏対向させての重ね合わせ時に、前記粘着剤層に対応する位置に粘着材層に対して着脱容易な剥離シートを貼設してなる屋根仕上げ材を提供して上記従来の課題を解決しようとするものである。
【００１１】
また、上記において、屋根仕上げ材は軒端側に１又は２以上のスリットが形成されたシングルで構成し、シングル表面に形成される前記粘着剤層は勾配方向と直交する帯状に形成することがある。
【００１２】
さらに、上記において、帯状の前記粘着剤層は、その軒端側が前記スリットの上端部（棟側）とほぼ接する位置に形成することがある。
【００１３】
さらにまた、前記屋根仕上げ材において、帯状の前記粘着剤層は、前記スリットの上端部（棟側）間の中央位置で少なくともスリット幅分だけ不連続となるように形成することがある。
【００１４】
また、上記いずれかの屋根仕上げ材において、前記粘着剤層は、改質アスファルト系粘着剤、アクリル系粘着剤またはブチル系粘着剤のいずれかで形成することがある。
【００１５】
さらに本願発明は、  段落番号００１６に係る前記屋根仕上げ材による屋根葺き構造であって、屋根下地部に固着した勾配方向下流側のシングルと、この下流側のシングル表面の帯状粘着剤層に裏面の下流側端部を接合した勾配方向上流側のシングルとからなり、勾配方向下流側から上流側に順次屋根仕上げ材を敷設した際に各シングルのスリットに前記帯状の粘着剤層が露出しない屋根葺き構造を提供する。
【００１６】
さらに、本願発明は、表裏両面に無機質層を圧着形成した基部とタブを具え、敷設時に屋根下地部に接合される前記基部上に前記タブを重ね合わせるようにして順次屋根葺きをなすアスファルトシングルあるいは不燃シングルその他、柔軟性があり下地追従性に優れかつ軽量な屋根仕上げ材において、前記屋根仕上げ材の表面所定箇所には粘着剤層を形成するとともに、該裏面にはさらに屋根仕上げ材の表裏対向させての重ね合わせ時に、前記粘着剤層に対応する位置に粘着材層に対して着脱容易な剥離シートを貼設してなる屋根仕上げ材を順次に積層し、積層体の最上段又は最下段となる前記屋根仕上げ材の表面の前記粘着剤層表面には剥離容易な粘着防止手段を設けるようにした屋根仕上げ材積層構造を提供して、集積、梱包、運搬等における取り扱いの利便性の向上を図ろうとするものである。
【００１７】
【発明の実施形態】
以下、本願発明の実施形態を説明する。
図１は、本願発明の第１実施形態に係る屋根仕上げ材としてのアスファルトシングルの斜視図であり、図２は図１におけるＡ−Ａ線断面図である。
図において、１１は周知のアスファルトシングルであり、平板状に形成されたこのアスファルトシングル１１は、ガラス繊維等の柔軟な基材にアスファルトを含浸塗覆させてなる芯層部１２と、この芯層部１２の両面にそれぞれ形成された表面層１３および裏面層１４とからなっており、敷設時に屋根下地部に接合される基部１５とこれと一体に形成されるタブ１６とを具え、このタブ１６には等間隔でスリット１７，１７が形成されている。
【００１８】
そして、１８はアスファルトシングル１１の表面に形成された帯状の粘着剤層で、勾配方向（図で下方）と直交して設けられており、その軒端側が前記スリット１７の上端部（棟側）を結ぶ線にほぼ接して位置し、前記スリット１７の上端部（棟側）間の中央位置で少なくともスリット幅分の不連続部１８ａが形成されている。
なお、粘着剤層１８はアスファルトシングル１１の表面、すなわち鉱物質砂が撒着された面に形成されるので表面との接合性に優れかつアスファルトシングル１１の通常の生産工程を大幅に変更することなく形成可能である。
また、粘着剤層１８は、接着効果が外気温に左右されることの少ない改質アスファルト系（ブチルゴム改質アスファルト、ＳＢＳ系ゴム改質アスファルト等）粘着剤またはアクリル系粘着剤から選択される。
【００１９】
アスファルトシングル１１の裏面には、図２に示すように粘着材層に対して着脱容易な剥離シートとしてのフィルム１９が貼着されている。  このフィルム１９は、アスファルトシングル１１の裏面において表面の粘着剤層１８に対応する位置に設けられている。
図３はアスファルトシングル１１の積層構造を示す側面図である。  図示のようにアスファルトシングル１１の積層時に上方のアスファルトシングル１１のフィルム１９が下方のアスファルトシングル１１の粘着剤層１８に当接して上下に重なり合うアスファルトシングル１１相互の粘着を防止している。  最上段のアスファルトシングル１１の粘着剤層１８には、剥離容易な粘着防止手段を設けて集積、梱包、運搬を容易にする。  前記粘着防止手段としては剥離処理の施された剥離シート等のフィルムを使用したり、剥離テープを粘着剤層１８表面へ貼付する等が採用できる。
このように、所定枚数を１単位として積層されたアスファルトシングル１１は、施工現場では、例えば剥離テープは、１単位に１枚しか発生しないから、従来のように大量に発生する粘着防止シールの処理に無用な時間、コストを掛ける必要がなくなる。
【００２０】
以下、図４、図５を中心に前記アスファルトシングル１１による屋根葺き構造を説明する。  図４は、葺き合わせ前の上下各アスファルトシングル１１の位置関連構成を示し、図５は葺き合わせ状態を示している。
勾配屋根において、図４に示すように下流側のアスファルトシングル１１（図４、５で下側）の前記基部１５には上流側アスファルトシングル１１のタブ１６中央が下流側アスファルトシングル１１のスリット１７の上端に位置するように重ね合わせて順次敷設され、図５に示す屋根葺き構造となる。
【００２１】
すなわち、図４において既に屋根下地へ固着されたアスファルトシングル１１（図で下方）に、裏面の前記１９フィルムを剥離したアスファルトシングル１１（図で上方）を葺き合わせるに際して、上側アスファルトシングル１１の各タブ１６の下端中央部分が下側アスファルトシングル１１のスリット１７の上端に当接するように位置合わせをなし、上側アスファルトシングル１１のタブ１６と下側アスファルトシングル１１の粘着剤層１８とを、図５に示すように圧着する。このとき、図５に示すように上側アスファルトシングル１１のスリット１７の勾配方向下端すなわち開口部近傍は、下側アスファルトシングル１１の粘着剤層１８の不連続部１８ａに重なることになる。したがって、スリット１７部分には下側アスファルトシングル１１の表面のみが現れ、粘着剤層１８がスリット１７で露出することがない。  このため、粘着剤層の外気暴露が防止でき接着性能の劣化を効果的に防止できる。  すなわち、スリット部分において粘着剤層が露出していると、その露出部分は太陽光、雨露、外気に直接暴露され劣化が進行し、その劣化は粘着剤層の非露出へ伝播することになる。  また、スリット部分において粘着剤層が露出しないことにより屋根全体の美観も向上する。
【００２２】
【発明の効果】
本願発明は、以上説明した構成作用により、屋根葺き作業を高い効率で、しかも屋根仕上げ材を汚損することなく行うことができる。  また、屋根仕上げ材は順次に積層するだけで粘着剤層はフィルムによりカバーされ屋根仕上げ材相互が粘着することがなく屋根仕上げ材の集積、梱包、運搬等における取り扱いが容易性、高能率性を確保でき、これらに要するトータルコストの低減にも資するところが大きい。
【図面の簡単な説明】
【図１】本願発明の第１実施形態に係る屋根仕上げ材としてのアスファルトシングルの斜視図である。
【図２】図１におけるＡ−Ａ線断面図である。
【図３】図１に示すアスファルトシングル相互の積層状態を示す側面図である。
【図４】勾配方向で下流側および上流側それぞれのアスファルトシングルの葺き合わせ時の位置関係を示す斜視図である。
【図５】図１に示すアスファルトシングルによる屋根葺き構造を示す斜視図である。
【図６】従来技術を示す断面図である。
【符号の説明】
１１．．．．．．屋根仕上げ材（アスファルトシングル）
１２．．．．．．芯層部
１３．．．．．．表面層
１４．．．．．．裏面層
１５．．．．．．基部
１６．．．．．．タブ
１７．．．．．．スリット
１８．．．．．．粘着剤層
１８ａ．．．．．粘着剤層の不連続部
１９．．．．．．剥離シート（フィルム）
【図１】
2004156367.tif 000003
【図２】
2004156367.tif 000004
【図３】
2004156367.tif 000005
【図４】
2004156367.tif 000006
【図５】
2004156367.tif 000007
【図６】
2004156367.tif 000008